(57)【要約】【課題】  竪樋の壁面からの取り付け位置が調整でき、且つ、見栄えの良い竪樋支持具を提供する。【解決手段】  建物の壁面に当接固定される固定部材１に、竪樋を支持する支持部材３を係合保持した竪樋支持具において、固定部材１に略水平に突出した柱状の係合部４と、係合部４の下側に凹部５を突出方向に沿って複数個設けるとともに、支持部材３に略水平に突出し係合部４の上面及び側面１６を覆う被係合部６と、被係合部６の開口側に被係合部６の突出方向と略同方向に突出した棒状の取付部７と、取付部７の端部に凹部５に係合される取付片８を設け、固定部材１と支持部材３とが係合部４と被係合部６とで係合されるとともに、選択されるいずれかの凹部５と取付片８とで係合保持されるようになしている。【選択図】図１
2006226081.tif 000002
【特許請求の範囲】
【請求項１】
建物の壁面に当接固定される固定部材に、竪樋を支持する支持部材を係合保持した竪樋支持具において、固定部材に略水平に突出した柱状の係合部と、係合部の下側に凹部を突出方向に沿って複数個設けるとともに、支持部材に略水平に突出し係合部の上面及び側面を覆う被係合部と、被係合部の開口側に被係合部の突出方向と略同方向に突出した棒状の取付部と、取付部の端部に凹部に係合される取付片を設け、固定部材と支持部材とが係合部と被係合部とで係合されるとともに、選択されるいずれかの凹部と取付片とで係合保持されるようになしたことを特徴とする竪樋支持具。
【請求項２】
係合部の断面を縦長の略矩形とし、被係合部の断面を係合部に対応した略コ字型としたことを特徴とする請求項１記載の竪樋支持具。
【請求項３】
係合部の外側面と被係合部の内側面のどちらか一方に突出方向に沿ったスライド溝を設けるとともに他方にスライド溝に対応したスライド片を設け、スライド片がスライド溝に案内されるようになしたことを特徴とする請求項１又は２記載の竪樋支持具。
【発明の詳細な説明】
【技術分野】
【０００１】
本願発明は、竪樋を壁面に支持するための竪樋支持具に関する。特には、竪樋の壁面からの取り付け位置を可変できる竪樋支持具に関する。
【背景技術】
【０００２】
従来から、竪樋を建物の壁面に固定するための竪樋支持具としては、竪樋を支持する支持部と、壁面に当接、固定される固定部と、支持部と固定部とを連結する連結部とからなる竪樋支持具が用いられている。しかしながら、このような一般的な竪樋支持具においては、連結部の長さが固定されているため、竪樋の取り付け位置が異なる場合、それぞれの寸法に対応した竪樋支持具を別途製造しなくてはならなかった。
【０００３】
又、特開平８−３０２９３６号公報には、図４に示す如く、竪樋支持具を固定部側連結部材１９と支持部側連結部材２０とに分割し、支持部側連結部材２０に係止孔２１を設けるとともに、固定部側連結部材１９に係止片２２を設け、固定部側連結部材１９と支持部側連結部材２０とを所定位置で固定し、竪樋の取り付け位置を可変することができる竪樋支持具が開示されている。しかしながら、この竪樋支持具においては、支持部側連結部材２０の係止孔２１が外から見えるために見栄えが悪く、又、支持部側連結部材２０に係止孔２１が開いているために竪樋支持具としての機械的強度が弱くなるおそれがあった。
【特許文献１】特開平８−３０２９３６号公報
【発明の開示】
【発明が解決しようとする課題】
【０００４】
本願発明は、上記従背景技術に鑑みて発明されたものであり、その課題は、竪樋の壁面からの取り付け位置が調整でき、且つ、見栄えの良い竪樋支持具を提供することである。
【課題を解決するための手段】
【０００５】
上記課題を解決するために、本願発明は、建物の壁面に当接固定される固定部材に、竪樋を支持する支持部材を係合保持した竪樋支持具において、固定部材に略水平に突出した柱状の係合部と、係合部の下側に凹部を突出方向に沿って複数個設けるとともに、支持部材に略水平に突出し係合部の上面及び側面を覆う被係合部と、被係合部の開口側に被係合部の突出方向と略同方向に突出した棒状の取付部と、取付部の端部に凹部に係合される取付片を設け、固定部材と支持部材とが係合部と被係合部とで係合されるとともに、選択されるいずれかの凹部と取付片とで係合保持されるようになしている。
【発明の効果】
【０００６】
本願発明の竪樋支持具においては、固定部材と支持部材とを備え、複数の凹部を設けて選択されるいずれかの凹部に取付片を係合するために、竪樋の取り付け位置を可変でき、又、被係合部が係合部の上面及び側面を覆うために見栄えよく仕上がる。
【発明を実施するための最良の形態】
【０００７】
図１〜３は、本願の請求項１〜３全てに対応した実施形態である竪樋支持具を示している。この実施形態の竪樋支持具は、図１〜３に示す如く、建物の壁面に当接固定される固定部材１に、竪樋２を支持する支持部材３を係合保持した竪樋支持具において、固定部材１に略水平に突出した柱状の係合部４と、係合部４の下側に凹部５を突出方向に沿って複数個設けるとともに、支持部材３に略水平に突出し係合部４の上面及び側面１６を覆う被係合部６と、被係合部６の開口側に被係合部６の突出方向と略同方向に突出した棒状の取付部７と、取付部７の端部に凹部５に係合される取付片８を設け、固定部材１と支持部材３とが係合部４と被係合部６とで係合されるとともに、選択されるいずれかの凹部５と取付片８とで係合保持されるようになしている。
【０００８】
又、係合部４の断面を縦長の略矩形とし、被係合部６の断面を係合部４に対応した略コ字型としている。
【０００９】
又、係合部４の外側面と被係合部６の内側面のどちらか一方に突出方向に沿ったスライド溝９を設けるとともに他方にスライド溝９に対応したスライド片１０を設け、スライド片１０がスライド溝９に案内されるようになしている。
【００１０】
以下、この実施形態の竪樋支持具を、より具体的詳細に説明する。この実施形態の竪樋支持具は樹脂製もしくは金属製であり、図１に示す如く、固定部材１と支持部材３とからなる。固定部材１は、図３に示す如く、壁面に当接される板状の固定板１１に、固定板１１の略中央から水平に突出した柱状の係合部４が設けられている。固定板１１の係合部４の上下にはそれぞれ、固定部材１の壁面への固定に使用するねじや釘などの取付具を取り付けるための断面円形の固定具取付孔１２が設けられている。この場合、係合部４の断面は略矩形で、縦方向が長くなっている。又、係合部４の下方には、断面略矩形の凹部５が２つ設けられており、これらの凹部５は、係合部４の下面の略中央に突出方向に沿って設けられた連結溝１３によってつながっている。これらの凹部５の位置は、竪樋２の支持位置が、屋根の勾配や出寸法、軒樋の取り付け位置に対応した取り付け位置となるように設定されており、例えば、その間隔を０．５寸間隔に設定している。又、係合部４の両側面の略中央には、突出方向に沿ってスライド溝９が設けられている。
【００１１】
支持部材３は、図２に示す如く、竪樋２を支持する竪樋支持部１４と、固定部材１の係合部４に係合される被係合部６と、固定部材１の凹部５に係合される取付部７からなっている。この場合、係合部４は断面略コ字型で、固定部材１の係合部４に嵌合されるようになっており、被係合部６の側片１５は、係合部４に取り付けたとき、係合部４の側面１６の下端まで覆うようになっている。又、この被係合部６の内側面には、図２（ｂ）に示す如く、固定部材１の係合部４に設けられたスライド溝９に対応したスライド片１０が、突出方向に沿って対向して設けられている。又、被係合部６の開口側には、被係合部６の突出方向と同方向に突出した棒状の取付部７が突設されており、その先端には取付片８が設けられている。この取付片８は、横断面が先端の開いたＹ字状であり、それぞれの先端の横断面は、外側に突起した半円状になっている。又、竪樋支持部１４は、横断面円形の筒状であり、その内径は、竪樋２の外形にほぼ一致するように設計されている。この竪樋支持部１４は、被係合部側の受け部材１４ａとそれとは逆側の止め部材１４ｂに分かれている。受け部材１４ａと止め部材１４ｂの片側は、ヒンジ部１７を介して水平方向に回転自由に接合されており、他方側には係止部１８が設けられ、受け部材１４ａと止め部材１４ｂとが係止されるようになっている。
【００１２】
次に、本願発明の竪樋支持具を用いた竪樋２の取り付け手順を説明する。まずは、竪樋２の取り付け位置に合わせ、固定部材１を凹部５が下方となるように壁面に当接し、固定具取付孔１２から壁面に対して固定具を取り付け、固定部材１を固定する。次に、支持部材３の被係合部６と固定部材１の係合部４を合わせ、支持部材３を壁面に向かって水平に挿入する。このとき、スライド片１０がスライド溝９に案内されるとともに、取付部７は連結溝１３に案内される。そして、取付片８は先端がＹ字状で弾性を形成しているため、連結溝１３により凹部５に案内されるまではＹ字の先端が閉じており、凹部５に達すると取付片８の形状が元に戻り、凹部５に係合される。なお、更に奥の凹部５に係合させるときには、支持部材３を更に挿入する。このとき、支持部材３の取付片８を固定する凹部５の位置は、屋根の勾配や軒樋の取り付け位置に対応した竪樋２の出寸法となる位置を選択している。続いて、支持部材３の受け部材１４ａと止め部材１４ｂの係支部をはずし、ヒンジ部１７を介して受け部材１４ａと止め部材１４ｂとを開口させ、受け部材１４ａと止め部材１４ｂとの間に竪樋２を挟む。最後に、再度受け部材１４ａと止め部材１４ｂを係止部１８を介して係止し、竪樋２を支持する。
【００１３】
従って、この実施例の竪樋支持具においては、竪樋支持具が固定部材１と支持部材３とからなり、互いに係合保持されるため、固定部材１と支持部材３との出寸法を調節でき、様々な竪樋２の取り付け位置に対応できる。従って、屋根の出寸法や軒樋の取り付け位置に合わせて、個別に竪樋支持具を設計、製造する必要がない。又、係合部４に複数の凹部５を設け、それぞれの凹部５の位置を、屋根の勾配や出寸法、軒樋の取り付け位置に合った竪樋２の取り付け位置になるように設定しているので、竪樋２を設置する建物の条件にあった凹部５を選択して取付片８を係合させることで、それぞれの建物に最適の竪樋２の取り付け位置となる。
【００１４】
又、係合部４に対して、被係合部６が上方に、取付部７が下方に設けられており、支持部材３の荷重を係合部４の上方で支えるため、下部に設けられた取付部７には荷重はあまりかからない。従って、取付部７には竪樋支持具の出寸法を固定するのに必要な強度を有しておればよく、そのため、取付部７をこの実施例のように棒状とすることもでき、外から目立ちにくい形状の取付部７の設計が可能である。
【００１５】
又、被係合部６を係合部４の上面及び側面１６を覆うように設けているため、係合部４と被係合部６との接続部分が目立ちにくく、見栄えよく仕上がる。又、係合部４の凹部５及び被係合部６の取付部７と取付片８を竪樋支持具の下部に設けているため、これらが外から見えないために見栄えが良くなる。それに加え、凹部５へのほこりや雨水などがたまりにくく、清掃の必要がなくなるのに加え、凹部５及び取付部７の腐食を抑えることができ、長期間の使用にも耐えることができる。
【００１６】
更に、係合部４の断面を縦長の略矩形としているため、係合部４にかかる荷重を支えやすく、係合部４の機械的強度が強くなる。又、被係合部６の断面を係合部４に対応した略コ字型としているため、被係合部６を係合部４にあわせて水平方向にスライドすることで係合され、施工しやすい。又、被係合部６の側片１５を係合部４の側面１６の下端まで至らせているため、固定部材１と支持部材３との接続部分が目立たず、一体の部材でできているように見え、見栄えの良い外観を与える。
【００１７】
又、係合部４の外側面にスライド溝９を設け、被係合部６の内側面にスライド溝９に対応したスライド片１０を設けているため、支持部材３の被係合部６を固定部材１の係合部４に対して水平に押し込むと、固定部材１のスライド溝９に沿って支持部材３のスライド片１０が案内される。従って、支持部材３を固定部材１に容易に挿入でき、施工しやすい。それに加え、複数設けた凹部５が連結溝１３によってつながっているため、支持部材３を固定部材１に挿入すると同時に取付部７が連結溝１３に沿ってスライドしながら取付片８が凹部５に案内される。従って、支持部材３の挿入深さを調節することで、竪樋２の指示位置に合わせた凹部５を選択することができ、施工しやすい。
【００１８】
なお、この実施例においては、係合部４の断面を縦長の略矩形としているが、本願発明はこれに限らず、断面を多角形や円形にしても良い。そのときには、被係合部６もそれに対応した形状にするとよい。
【図面の簡単な説明】
【００１９】
【図１】本願発明の実施形態である竪樋支持具を示す斜視図。
【図２】本願発明の実施形態である竪樋支持具の支持部材を示す図で、（ａ）は全体斜視図、（ｂ）は被係合部の正面図。
【図３】本願発明の実施形態である竪樋支持具の固定部材１を示す斜視図。
【図４】従来例である竪樋支持具を示す分解斜視図。
【符号の説明】
【００２０】
１    固定部材１
２    竪樋
３    支持部材
４    係合部
５    凹部
６    被係合部
７    取付部
８    取付片
９    スライド溝
１０    スライド片
１１    固定板
１２    固定具取付孔
１３    連結溝
１４    竪樋支持部
１４ａ  受け部材
１４ｂ  止め部材
１５    側片
１６    側面
１７    ヒンジ部
１８    係止部
【図１】
2006226081.tif 000003
【図２】
2006226081.tif 000004
【図３】
2006226081.tif 000005
【図４】
2006226081.tif 000006